(57)【要約】【課題】 仮支柱と仮斜材を用いた橋梁の張出し架設工法において、仮斜材がそのコンクリートとの定着部において、仮斜材に作用する左右の張力差によって滑らず、かつ、コストアップとなる定着体を必要としない構造とする。【解決手段】 橋脚２の柱頭部２ａに仮支柱３を立設し、仮支柱３に支持した仮斜材４により橋脚２から左右に張り出す先端の橋体ブロックを片持ち支持する橋梁の張出し架設工法において、仮支柱３の柱頭部１０に予めＰＣ鋼材からなる仮斜材４を配置したうえ、仮斜材４の周りにコンクリート１３を打設することにより、該コンクリート１３との付着力により仮斜材４をコンクリート１３に定着することを特徴とする。【選択図】図２
2006052573.tif 000002
【特許請求の範囲】
【請求項１】
橋梁の張出し架設工法に用いられる仮斜材の定着構造において、橋脚の柱頭部に仮支柱を設置すると共に、仮斜材を左右に張り出す橋体ブロックと前記仮支柱の頂部に渡って配置し、仮斜材の頂部の周りにコンクリートを打設することを特徴とする橋梁の張出し架設工法における仮斜材の定着構造。
【請求項２】
仮斜材が仮支柱頂部のコンクリート内で山形に配置され、コンクリートの付着力により仮斜材をコンクリートに定着する請求項１記載の仮斜材の定着構造。
【請求項３】
橋梁の張出し架設工法において、橋脚の柱頭部に仮支柱を設置し、PC鋼材で該柱頭部に固定すると共に、仮支柱を左右に張り出す橋体ブロックと前記仮支柱の頂部に渡って山形に配置し、型枠を組む、仮斜材の頂部の周りに付着を補償する大きさのコンクリートを打設することを特徴とする橋梁の張出し架設工法。
【発明の詳細な説明】
【技術分野】
【０００１】
本発明は、橋梁の張出し架設工法とこれに用いる仮斜材の定着構造に関する。
【背景技術】
【０００２】
橋梁の張出し架設を行なう場合、柱頭部から左右にバランスをとりながら橋体ブロックを張り出して行くが、この場合、既設の橋体ブロックを橋脚によって片持ち保持する必要があり、その片持ち手段として（１）片持ちＰＣ鋼材の仮設しプレストレスを導入する工法と、（２）仮斜材を用いるピロン工法とがある。（１）の片持ち工法の場合は、完成形のプレストレス導入用のＰＣ鋼材の配置と違う片持ち用のＰＣ鋼材の配置、そしてプレストレスの導入の多数工程が必要になる。すなわち、上床版の内またはその近傍へのＰＣ鋼材の配置が必要となる。特開２００４−６８３３２号に開示の技術などは、上床版に配置した例である。
【０００３】
また、（２）のピロン工法は、図４に示すように、橋梁１の張り出し施工中に橋脚１上または橋台等にピロン支柱と呼ばれる仮支柱３を設置し、仮支柱３の両側にＰＣ鋼材からなる斜め吊材（仮斜材という）４を設置して、斜材５や上床版６や下床版７からなる橋体ブロック８を順次張り出しながら橋梁を架設していく方法である。橋体ブロックは箱桁で構成する場合もある。
【０００４】
このピロン工法において、仮支柱３の柱頭部１０に仮斜材４を定着する方法として、図５に示す交差定着方式と、図６に示す偏向管を用いたサドル方式がある。図５の交差定着方式では、橋脚２の柱頭部ブロック９から立設した仮支柱３の頂部に支保工１１を組み、その支持床版１２の上に型枠を組んでコンクリート１３を打設し、このコンクリート１３に鋼管（シース）１４を斜めに交差して埋設すると共に、その端部に定着体１５を設け、架設先端の橋体ブロックに端部を固着した仮斜材（PC鋼材）４の端部を鋼管１４に挿入した上、その先端部を定着体１５にナット１６などで定着するものである。
【０００５】
また、図６の偏向管を用いたサドル方式は、前記と同じ仮支柱３の頂部に構築した支保工１１における支持床版１２の上に型枠を組み、かつ、中央でベンドされた偏向管１７をセットしてコンクリート１３を打設し、コンクリート１３が硬化した後、前記偏向管１７に仮斜    
材（PC鋼材）４の中間部を挿入し、偏向管１７から引き出した仮斜材（PC鋼材）４の両端は、橋脚から両側に張り出し施工される左右の架設先端の橋体ブロックに固着されるものである。
【特許文献１】特開２００４−６８３３２号公報
【特許文献２】特開２００１−３４８８１５号公報
【特許文献３】特開２００２−４２２５号公報
【発明の開示】
【発明が解決しようとする課題】
【０００６】
橋脚に立設した仮支柱にＰＣ鋼材を用いた仮斜材で架設先端の橋体ブロックを片持ち支持する橋梁の張出し架設工法において、（１）の交差定着方式では、橋の中央部に仮斜材（PC鋼材）のための定着具が必要であり、コストアップにつながるという問題がある。また、（２）のサドル方式では、偏向管の中に仮斜材（PC鋼材）を挿通しているので架設中や大地震時に発生する左右の仮斜材の張力差によって生じる水平力により、サドル頂部で仮斜材が滑り、片持ち機能が失われる可能性がある。
【０００７】
本発明は、橋脚の両側に張出し架設する橋体ブロックを片持ち支持する仮斜材が、該仮斜材に作用する左右の張力差によって滑らず、かつ、仮斜材の定着部において、コストアップとなる定着体を必要としない仮支柱と仮斜材を用いた橋梁の張出し架設工法を提供することを目的とする。
【課題を解決するための手段】
【０００８】
前記の目的を達成するため、本発明は、次のように構成する。   
【０００９】
第１の発明は、橋梁の張出し架設工法に用いられる仮斜材の定着構造において、橋脚の柱頭部に仮支柱を設置すると共に、仮斜材を左右に張り出す橋体ブロックと前記仮支柱の頂部に渡って配置し、仮斜材の頂部の周りにコンクリートを打設することを特徴とする。
【００１０】
第２の発明は、第１に発明において、仮斜材が仮支柱頂部のコンクリート内で山形に配置され、コンクリートの付着力により仮斜材をコンクリートに定着するすることを特徴とする。
【００１１】
第３の発明は、橋梁の張出し架設工法において、橋脚の柱頭部に仮支柱を設置し、PC鋼材で該柱頭部に固定すると共に、仮支柱を左右に張り出す橋体ブロックと前記仮支柱の頂部に渡って配置し、型枠を組む、仮斜材の頂部の周りに付着を補償する大きさのコンクリートを打設することを特徴とする。
【発明の効果】
【００１２】
本発明によると、仮斜材の定着構造として、支柱頂部に予め、前記仮斜材を配置し、周りにコンクリートを打設することにより、仮斜材がコンクリートとの付着力により該コンクリートに定着一体化しているので、（１）従来の交差定着方式で使用する仮支柱（ピロン支柱）側の定着が不要となり、この点でコスト削減となる。（２）従来のサドル方式で使用する偏向管の材料が不要となり、この点でもコスト削減となる。（３）従来のサドル方式の場合、仮設中や大地震時に発生する左右の仮斜材の張力差によって生じる水平力により、サドル頂部でＰＣ鋼材が滑る可能性があるが、本発明によりその滑りを防止することが可能になり、仮斜材の滑りによる片持ち機能喪失の危険性を無くすことができる。
【発明を実施するための最良の形態】
【００１３】
以下、本発明の実施形態を図を参照して説明する。
【００１４】
図１は、本発明に係る橋梁の張出し架設工法を実施するための仮支柱と仮斜材の正面図と側面図である。
【００１５】
各図において、橋脚２の柱頭部２ａにおける橋梁１から仮支柱（ピロン支柱）３が立ち上がっている。仮支柱３は、支柱脚部１８を柱頭部２ａの上面に設置し、支柱脚部１８から上方に鋼管をトラスを組んで所定の高さに立ち上げて構成する。仮支柱３の支柱頂部１０には支保工１１が設置される。支保工１１は、高さ調整ジャッキ１９と、該高さ調整ジャッキ１９によって高さ調整自在に支持される支持床版１２と、該支持床版１２上に設置される定盤２０と該定盤２０を取囲むように設置される側板型枠（図示を省略する）とから構成される。
【００１６】
図において、定盤２０上には矩形体のコンクリート１３が構築されており、該矩形体のコンクリート１３に、ＰＣ鋼材からなる仮斜材４を埋設することにより、仮斜材４が矩形体のコンクリート１３に定着されている。すなわち、仮斜材４は、正面から見て中間が山頂部２１となった山形をなすように埋設されていて、仮斜材４は、この山頂部２１の両側から下り傾斜して橋軸方向に伸び、コンクリート１３の橋軸側の両側面２２から外部に引き出されたうえ、既設の橋体ブロックの先端ブロックに向けて伸長している。なお、図１では、斜材５の上下にプレキャストコンクリート等の上床版６と下床版７を設置してなる橋体ブロックを張出しながら橋梁１を構築している例を示している。
【００１７】
仮支柱３の柱頭部１０において、仮斜材４とコンクリート１３は、コンクリート躯体内部に埋設した仮斜材４からコンクリートを破壊するような応力を受けるので、該コンクリート１３は、仮斜材４のコンクリート躯体への付着破壊を補償する大きさを有した構造とするものである。さらに、コンクリート１３と支持床版１２を貫通して固定用PC鋼材２３を垂下し、その下端部２４を橋脚２の柱頭部ブロック９に定着し、固定用PC鋼材２３も上端部材は、コンクリート１３の上面において定着ナット２５で該コンクリート１３に定着している。
【００１８】
仮斜材（ＰＣ鋼材）４には、ＰＣ鋼より線に高密度ポリエチレン被覆が施された高付着タイプのＰＣ鋼材が用いられる。
【００１９】
本発明の仮支柱を用いた斜吊り工法における支柱頂部の仮斜材４の定着構造の施工手順を説明する。
【００２０】
１．橋脚２の柱頭部２ａに仮支柱３を設置し、その柱頭部１０に支保工１１を施工する。
２．定盤２０上に補強鉄筋（PC鋼材）を組み立てる（図示省略）。
３．前記補強鉄筋を介して、PC鋼材からなる仮斜材４を側面が山形になるように配置する。仮斜材４は、中心から橋桁幅方向の左右に３本づつのＰＣ鋼材を配置し、ＰＣ鋼材の両端部は所定の長さ橋軸方向に延長しておく。なお、支保工１１は、支持床版１２の上に構築したコンクリート１３に定着の仮斜材（ＰＣ鋼材）４の押し下げ力を受けて仮支柱３の柱頭部１０に固定される。
４．支持床版１２の上面において補強鉄筋を取囲むように型枠（図示省略）を立込み、かつ仮斜材４を型枠を貫通して外方に引き出す。  
５．型枠内にコンクリート１３を打設する。
６．コンクリート１３が硬化することで、PC鋼材からなる仮斜材４はコンクリート１３に定着するので、その後、型枠を離型する。
７．コンクリート１３を上下に貫通して固定用PC鋼材２３を設け、該固定用PC鋼材２３の上端に設けたネジ部をコンクリート１３の上面に突出させ、該ネジ部に定着ナット２５を螺合して定着する。固定用PC鋼材２３は、コンクリート１３と支持床版１２を貫通して垂下し、その下端部２２を橋脚２の柱頭部ブロック９に定着して施工は完了する。
【００２１】
所定本数のPC鋼材からなる仮斜材４を仮支柱３の柱頭部１０に定着した後、各仮斜材４により張り出し施工中の先端の橋体ブロックを片持ち支持する。なお、橋脚２の側から上下床版６、７を斜材５で連結してなる橋体ブロックの第１ブロック〜第４ブロックまでは架設ケーブル（上床版内に配置）を配置緊張しながら張出し施工を行ない、その後、第５、第６、第７ブロック・・は、仮支柱３の柱頭部１０に立てられた支保工１１のコンクリート１３に定着されたPC鋼材からなる仮斜材４で片持ち支持しながら張り出し施工を行なう。
【００２２】
また、ＰＣ鋼材からなる仮斜材４をコンクリート１３の打設の前に所定角度の山形部となるように設置する際、左右に張出して行く橋桁のセンターとなる位置に仮斜材４の山頂部２１を持っていき、第５、第６、第７の各橋体ブロックの定着位置・・に向うようにＰＣ鋼材（仮斜材４）の角度を決め、該仮斜材４がコンクリート１３と一体となるように裸のまま位置決めされてコンクリート打設する。
【００２３】
また、ワーゲンを使って橋体ブロックを張り出して行き、仮斜材４で支持する一番手前のブロック（つまり、上の説明における第５ブロック）の下端に突起を設け、仮斜材４をその突起部分（図示省略）に配置し床版コンクリートを打設する。第５ブロックの床版コンクリートを打設した後、床版内にＰＣ鋼材を挿通して緊張し、次の橋体ブロックの構築に移る。床版内に挿通するＰＣ鋼材の緊張は、橋脚２の左右の張り出し先端を同時に行なう。
【００２４】
以上のように、本実施形態によると、仮支柱と仮斜材を用いた橋梁の張出し架設工法において、仮支柱３の柱頭部１０のコンクリート１３とＰＣ鋼材からなる仮斜材４とが定着一体化しているので、仮設中や大地震時に発生する左右の仮斜材４の張力差によって生じる水平力によっても、山頂部２１で仮斜材（ＰＣ鋼材）４が滑るのを防止することが可能となる。加えて、従来の交差定着方式で使用する仮支柱（ピロン支柱）側の定着が不要となり、この点でコスト削減となり、また、サドル方式で使用する偏向管の材料が不要となり、この点でもコスト削減となる。
【図面の簡単な説明】
【００２５】
【図１】本発明に係る仮支柱と仮斜材を用いた橋梁の張出し架設工法を実施している形態を示す側面図である。
【図２】（ａ）は、図１における仮支柱とその柱頭部における仮斜材の定着構造を示す正面図、（ｂ）は、図１（ａ）のＡ部の詳細図である。
【図３】図１（ａ）の側面図である。
【図４】従来の仮支柱と仮斜材を用いた橋梁の張出し架設工法を実施している形態を示す正面図である。
【図５】（ａ）は、図４における仮支柱とその柱頭部における仮斜材の定着構造の第１従来例を示す正面図、（ｂ）は、図５（ａ）のＢ部の詳細図である。
【図６】（ａ）は、図４における仮支柱とその柱頭部における仮斜材の定着構造の第１従来例を示す正面図、（ｂ）は、図６（ａ）のC部の詳細図である。
【符号の説明】
【００２６】
１  橋梁  
２  橋脚
２ａ  柱頭部
３  仮支柱
４  仮斜材
５  斜材
６  上床版
７  下床版
８  橋体ブロック
９  柱頭部ブロック
１０  柱頭部
１１  支保工
１２  支持床版
１３  コンクリート
１４  鋼管
１５  定着体
１６  ナット
１７  偏向管
１８  支柱脚部
１９  高さ調整ジャッキ
２０  定盤
２１  山頂部
２２  コンクリートの両側面
２３  固定用PC鋼材
２４  PC鋼材の下端
２５  定着ナット
【図１】
2006052573.tif 000003
【図２】
2006052573.tif 000004
【図３】
2006052573.tif 000005
【図４】
2006052573.tif 000006
【図５】
2006052573.tif 000007
【図６】
2006052573.tif 000008